(57)【要約】【課題】  可搬記憶媒体に医用画像を書き込む際に行う索引ファイルの作成時間を低下させることで、ユーザに与えるストレスを低減させる技術を提供する。【解決手段】  管理されている医用画像の所定データ量単位毎の索引ファイルを前もって作成しておき、挿入された可搬記憶媒体の種類を特定し、前記特定手段で特定された可搬記憶媒体の種類に基づいて、前記挿入された可搬記憶媒体に書き込まれる医用画像に対応する索引ファイルを、前記前もって作成された索引ファイルの一又は複数を割り付けて最終作成し、前記最終作成された索引ファイルと、この索引ファイルに対応する医用画像とを、前記挿入された可搬記憶媒体に書き込む。【選択図】図４
2008217558.tif 000002
【特許請求の範囲】
【請求項１】
医用画像を管理する管理手段と、
管理されている医用画像の所定データ量単位毎の索引ファイルを前もって作成するプリ作成手段と、
挿入された可搬記憶媒体の種類を特定する特定手段と、
前記特定手段で特定された可搬記憶媒体の種類に基づいて、前記挿入された可搬記憶媒体に書き込まれる医用画像に対応する索引ファイルを、前記前もって作成された索引ファイルの一又は複数を割り付けて最終作成する最終作成手段と、
前記最終作成された索引ファイルと、この索引ファイルに対応する医用画像とを、前記挿入された可搬記憶媒体に書き込む書込み手段と、
を備えること、
を特徴とする医用画像管理システム。
【請求項２】
医用画像を管理する管理手段と、
可搬記憶媒体の各種類に応じて、可搬記憶媒体に書き込まれる医用画像に対応する索引ファイルを前もって各種作成する作成手段と、
挿入された前記可搬記憶媒体の種類を特定する特定手段と、
前記作成手段で作成した索引ファイルのうちの前記特定手段で特定された可搬記憶媒体の種類に応じた索引ファイルと、この索引ファイルに対応する医用画像とを、前記挿入された可搬記憶媒体に書き込む書込み手段と、
を備えること、
を特徴とする医用画像管理システム。
【請求項３】
前記所定データ量単位を表す単位情報、及び前記前もって作成された索引ファイルと医用画像との対応関係を表す対応関係情報を記憶する記憶手段と、
前記特定手段で特定された可搬記憶媒体の種類と前記単位情報とに基づき、前記挿入された可搬記憶媒体に書き込む単位数を算出する算出手段と、
をさらに備え、
前記最終作成手段は、
前記算出手段で算出された単位数分のデータ量に対応する索引ファイルを割り付けて最終作成し、
前記書込み手段は、
前記最終作成手段で割り付けられる索引ファイルに対応する医用画像を前記対応関係情報に基づき前記管理手段から取得し、前記最終作成された索引ファイルとともに前記挿入された可搬記憶媒体に書き込むこと、
を特徴とする請求項１記載の医用画像管理システム。
【請求項４】
前記所定データ量単位を設定する操作手段をさらに備えること、
を特徴とする請求項１記載の医用画像管理システム。
【請求項５】
前記プリ作成手段は、所定タイミングで前記所定データ量単位毎の索引ファイルを作成すること、
を特徴とする請求項１記載の医用画像管理システム。
【請求項６】
前記前もって作成された各種索引ファイルと医用画像との対応関係を表す対応関係情報を記憶する記憶手段をさらに備え、
前記書込み手段は、
前記特定手段で特定された可搬記憶媒体の種類に応じた索引ファイルに対応する医用画像を前記対応関係情報に基づき前記管理手段から取得し、前記特定手段で特定された可搬記憶媒体の種類に応じた索引ファイルとともに前記挿入された可搬記憶媒体に書き込むこと、
を特徴とする請求項２記載の医用画像管理システム。
【請求項７】
前記特定手段で特定された可搬記憶媒体の種類に応じた索引ファイル以外の索引ファイルを削除する削除手段をさらに備えること、
を特徴とする請求項２記載の医用画像管理システム。
【請求項８】
前記作成手段は、所定タイミング毎に可搬記憶媒体の各種類に応じた索引ファイルを作成すること、
を特徴とする請求項２記載の医用画像管理システム。
【請求項９】
可搬記憶媒体への医用画像書き込み方法であって、
管理されている医用画像の所定データ量単位毎の索引ファイルを前もって作成しておき、
挿入された可搬記憶媒体の種類を特定し、
前記特定手段で特定された可搬記憶媒体の種類に基づいて、前記挿入された可搬記憶媒体に書き込まれる医用画像に対応する索引ファイルを、前記前もって作成された索引ファイルの一又は複数を割り付けて最終作成し、
前記最終作成された索引ファイルと、この索引ファイルに対応する医用画像とを、前記挿入された可搬記憶媒体に書き込むこと、
を特徴とする医用画像書き込み方法。
【請求項１０】
可搬記憶媒体への医用画像管理装置の医用画像書き込み方法であって、
可搬記憶媒体の各種類に応じて、可搬記憶媒体に書き込まれる医用画像に対応する索引ファイルを前もって各種作成しておき、
挿入された前記可搬記憶媒体の種類を特定し、
前記前もって作成した索引ファイルのうちの前記特定手段で特定された可搬記憶媒体の種類に応じた索引ファイルと、この索引ファイルに対応する医用画像とを、前記挿入された可搬記憶媒体に書き込むこと、
を特徴とする医用画像書き込み方法。
【請求項１１】
コンピュータを、
管理されている医用画像の所定データ量単位毎の索引ファイルを前もって作成するプリ作成手段と、
挿入された可搬記憶媒体の種類を特定する特定手段と、
前記特定手段で特定された可搬記憶媒体の種類に基づいて、前記挿入された可搬記憶媒体に書き込まれる医用画像に対応する索引ファイルを、前記前もって作成された索引ファイルの一又は複数を割り付けて最終作成する最終作成手段と、
前記最終作成された索引ファイルと、この索引ファイルに対応する医用画像とを、前記挿入された可搬記憶媒体に書き込む書込み手段と、
して機能させること、
を特徴とする医用画像書込プログラム。
【請求項１２】
コンピュータを、
可搬記憶媒体の各種類に応じて、可搬記憶媒体に書き込まれる医用画像に対応する索引ファイルを前もって各種作成する作成手段と、
挿入された前記可搬記憶媒体の種類を特定する特定手段と、
前記作成手段で作成された索引ファイルのうちの前記特定手段で特定された可搬記憶媒体の種類に応じた索引ファイルと、この索引ファイルに対応する医用画像とを、前記挿入された可搬記憶媒体に書き込む書込み手段と、
として機能させること、
を特徴とする医用画像書込プログラム。
【発明の詳細な説明】
【技術分野】
【０００１】
本発明は、医用画像を可搬記憶媒体へ書き込む技術に関する。
【背景技術】
【０００２】
Ｘ線ＣＴ装置等の画像診断装置で撮影された医用画像は、医用画像を管理する画像管理システムに送信される。この画像管理システムでは、医用画像を保存しておき、オペレータが所望する医用画像を検索してモニタに表示する。この画像管理システムに保存される医用画像は、バックアップとして可搬記憶媒体にも記憶される。画像管理システムは、可搬記憶媒体に医用画像を書き込む機能も有する。可搬記憶媒体は、画像管理システムと切り離して持ち運びが可能で、かつデータの書き込みが可能な記録メディアである。
【０００３】
可搬記憶媒体に医用画像を書き込む場合、ＤＩＣＯＭ（digital imaging and communications in medicine）規格に従って医用画像を管理する索引ファイルを作成し、可搬記憶媒体一枚毎に、医用画像とともにこの索引ファイルを書き込むことが必須とされる（例えば、「特許文献１」参照。）。
【０００４】
可搬記憶媒体としては、ＣＤ、ＤＶＤ、ＨＤ−ＤＶＤ、ブルーレイディスク等の各種の記憶容量を有するメディアが普及している。記憶容量が異なれば、書き込まれる医用画像のデータ量も異なるため、その書き込まれる医用画像を管理する索引ファイルも可搬記憶媒体毎に作成される。
【０００５】
近年、大容量を有する可搬記憶媒体の登場により、一度に大量の医用画像を記憶させることが可能となった。一方で、その大量の医用画像を管理する索引ファイルを作成する処理は、多大な処理負荷となり、膨大な時間を必要とするようになってきた。従って、可搬記憶媒体へ医用画像を書き込む段階で一から索引ファイルを作成すると、ユーザに多大なるストレスを与えるおそれがある。
【０００６】
この索引ファイルを作成する負荷を時間的に分散させる方法として、予め索引ファイルを作成しておく方法が提示されている。この方法は、医用画像が画像管理システムに記憶されるたびに、今まで当該システムに蓄積していた医用画像の全てを管理する索引ファイルを作成しておく。そして、この蓄積していた医用画像の全てを管理する索引ファイルを基にして、可搬記憶媒体に書き込む医用画像に応じた索引ファイルを再構築する。即ち、可搬記憶媒体に医用画像を書き込む段階では、大元の索引ファイルの階層構造を解析して、書き込む医用画像を管理する階層構造のみを抽出し、その抽出した階層構造のデータを可搬記憶媒体に書き込む索引ファイルとする。
【０００７】
しかしながら、この方法によっても大元の索引ファイルの階層構造を解析する作業が必要となり、その処理負荷は大きい。従って医用画像を書き込む段階での索引ファイルの作成に長時間を要することには変わりはなく、ユーザに与えるストレスを低減させるに至っていない。
【０００８】
【特許文献１】特開２００１−３０６７０３号公報
【発明の開示】
【発明が解決しようとする課題】
【０００９】
本発明は、以上の問題点に鑑みてなされたものであって、その目的は、可搬記憶媒体に医用画像を書き込む際に行う索引ファイルの作成時間を低下させることで、ユーザに与えるストレスを低減させる技術を提供することにある。
【課題を解決するための手段】
【００１０】
上記課題を解決するために、本発明の第１の態様は、管理されている医用画像の所定データ量単位毎の索引ファイルを前もって作成しておき、挿入された可搬記憶媒体の種類を特定し、前記特定手段で特定された可搬記憶媒体の種類に基づいて、前記挿入された可搬記憶媒体に書き込まれる医用画像に対応する索引ファイルを、前記前もって作成された索引ファイルの一又は複数を割り付けて最終作成し、前記最終作成された索引ファイルと、この索引ファイルに対応する医用画像とを、前記挿入された可搬記憶媒体に書き込むこと、を特徴とする。
【００１１】
また、本発明の第２の態様は、可搬記憶媒体の各種類に応じて、可搬記憶媒体に書き込まれる医用画像に対応する索引ファイルを前もって各種作成しておき、挿入された前記可搬記憶媒体の種類を特定し、前記前もって作成された索引ファイルのうちの前記特定された可搬記憶媒体の種類に応じた索引ファイルと、この索引ファイルに対応する医用画像とを、前記挿入された可搬記憶媒体に書き込むこと、を特徴とする。
【発明の効果】
【００１２】
第１の態様によっては、可搬記憶媒体が挿入された後の索引ファイル作成処理負荷としては、最大でもプリ索引ファイルを合成するための処理負荷のみとなる。合成処理は、索引ファイルを一から作成する処理や、索引ファイルの階層構造を解析して一部抽出する処理に対して、その処理負荷が格段に低く、可搬記憶媒体への医用画像書込時における索引ファイル作成時間は劇的に低下し、ユーザのストレスは格段に低減される。
【００１３】
また第２の態様によっては、可搬記憶媒体が挿入された後の索引ファイル作成処理の負荷がかからない。従って、可搬記憶媒体への医用画像書込時における索引ファイル作成時間が極限まで低下し、ユーザのストレスは格段に低減される。
【発明を実施するための最良の形態】
【００１４】
以下、本発明に係る医用画像書込技術の好適な各実施形態について、図面を参照しながら詳細に説明する。
【００１５】
図１は、画像管理システムを表す外観図である。
【００１６】
画像管理システム１は、医用画像を管理し、可搬記憶媒体Ｍへ医用画像を書き込むシステムである。この画像管理システム１は、ワークステーション装置１１とメディアドライブ１２とキーボード１３とモニタ１４を備える。ワークステーション装置１１は、医用画像を管理し、また医用画像の書き込みを制御する。メディアドライブ１２は、可搬記憶媒体Ｍが挿入され、挿入された可搬記憶媒体Ｍに医用画像を書き込む。
【００１７】
ワークステーション装置１１は、所謂コンピュータであり、単体若しくはネットワークで接続された複数のコンピュータ端末からなる。複数のコンピュータ端末で構成されたワークステーション装置１１は、例えば、医用画像を保管するコンピュータ、保管されている医用画像を管理するコンピュータ、医用画像を可搬記憶媒体Ｍに書き込むコンピュータからなる。
【００１８】
可搬記憶媒体Ｍは、画像管理システム１と切り離して持ち運びが可能で、かつデータの書き込みが可能な記録メディアである。この可搬記憶媒体Ｍは、例えばＣＤ、ＤＶＤ、ＨＤ−ＤＶＤ、ブルーレイディスク等の容量が規格化された各種メディアである。メディアドライブ１２は、可搬記憶媒体Ｍが挿入される挿入口を有し、挿入された可搬記憶媒体Ｍにデータの書き込みが可能な書き込み手段である。
【００１９】
キーボード１３は、オペレータにより操作される操作手段であり、各種キーが配列されている。キーが押下されると、その押下されたキーに対応する操作信号がワークステーション装置１１に入力される。ワークステーション装置１１では、受け取った操作信号と操作内容を対応付けしており、受け取った操作信号に従って操作内容を実行する。操作手段としては、キーボード１３の他、マウスやトラックボールやタッチパネル等であってもよい。モニタ１４は、表示手段であり、液晶ディスプレイやＣＲＴディスプレイ等の画面を有し、ワークステーション装置１１から出力された描画データに従って文字列を含む画像を表示する。
【００２０】
図２は、ワークステーション装置１１の詳細構成を示す構成図である。
【００２１】
ワークステーション装置１１は、演算制御装置１１ａ、主記憶装置１１ｂ、外部記憶装置１１ｃ、及び入出力インターフェース１１ｄを備える。メディアドライブ１２は、このワークステーション装置１１内に内蔵されても外付けされていてもよい。入出力インターフェース１１ｄには、キーボード１３とモニタ１４とがデータ入出力可能に接続されている。
【００２２】
外部記憶装置１１ｃは、所謂ＨＤＤであり、医用画像書込プログラムを含む制御プログラムと、医用画像を含む各種データが記憶されている。演算制御装置１１ａは、所謂ＣＰＵやＧＰＵであり、制御プログラムを主記憶装置１１ｂに適宜展開して解読し、プログラムに従って演算及び制御を行う。主記憶装置１１ｂは、所謂ＲＡＭであり、演算制御装置１１ａのワークエリアとなる。演算制御装置１１ａで生成された描画データは、入出力インターフェース１１ｄを介してモニタ１４に出力される。キーボード１３が出力した操作信号は、入出力インターフェース１１ｄを介して演算制御装置１１ａに入力される。
【００２３】
この医用画像管理システム１では、演算制御装置１１ａが医用画像書込プログラムを解読してこのプログラムに従って演算及び制御を行うことで、ＤＩＣＯＭ（digital imaging and communications in medicine）規格に従って索引ファイル３０（図３参照）を作成し、可搬記憶媒体Ｍに医用画像とともにこの索引ファイル３０を書き込む装置として機能する。
【００２４】
ＤＩＣＯＭ規格は、米国放射線学会（American College of Radiology）と米国電機工業会(National Electrical Manufacturers Association)とによる委員会が定めた「医用におけるディジタル画像と通信」に関する標準規格である。索引ファイル３０は、所謂ダイコムディレクトリ（ＤＩＣＯＭ  ＤＩＲ）であり、医用画像に付随して可搬記憶媒体Ｍに記憶される。この索引ファイル３０は、可搬記憶媒体Ｍに記憶された医用画像の階層構造を管理するデータである。
【００２５】
図３は、可搬記憶媒体Ｍに記憶される医用画像の記憶構造を示す模式図である。
【００２６】
可搬記憶媒体Ｍには、医用画像とともに索引ファイル３０が書き込まれる。索引ファイル３０は、例えば４階層のディレクトリレコードを有する。この階層構造のディレクトリレコードによって、書き込まれた医用画像の階層構造が示される。索引ファイル３０は、例えば患者情報ディレクトリ（Ｐａｔｉｅｎｔ  ＤＲ）３１を最上階層として、以下順に検査情報ディレクトリ（Ｓｔｕｄｙ  ＤＲ）３２、シリーズ情報ディレクトリ（Ｓｅｒｉｅｓ  ＤＲ）３３、画像情報ディレクトリ（Ｉｍａｇｅ  ＤＲ）３４で構成される。
【００２７】
患者情報ディレクトリ３１は、患者氏名や患者ＩＤ等の患者の識別情報によって医用画像をグループ分けしている。検査情報ディレクトリ３２は、Ｘ線ＣＴ造影検査、Ｘ線ＣＴ非造影検査、ＭＲ検査、超音波検査等の検査内容、検査日付、検査ＩＤ等の検査情報によって医用画像をグループ分けしている。シリーズ情報ディレクトリ３３は、医用画像の撮影に使用された医用画像診断装置の識別情報、主治医氏名、シリーズＩＤ等により医用画像をグループ分けしている。画像情報ディレクトリ３４は、画像ＩＤ等の画像の識別情報によって医用画像をグループ分けしており、対応する医用画像を参照する。
【００２８】
（索引ファイル３０の第１の作成及び書込形態）
この医用画像管理システム１の索引ファイル３０の作成及び可搬記憶媒体Ｍへの書き込みの第１の形態を詳細に説明する。
【００２９】
図４は、第１の形態に係る医用画像管理システム１の機能構成を示すブロック図である。
【００３０】
医用画像管理システム１は、プリ作成部２１と、医用画像記憶部２２と、設定記憶部２３と、索引記憶部２４と、対応関係記憶部２５と、特定部２６と、最終作成部２７と、書込部２８とを備える。
【００３１】
プリ作成部２１は、主に演算制御装置１１ａを含み構成される。このプリ作成部２１は、医用画像記憶部２２に記憶されている医用画像を所定データ量単位でグループ分けし、グループ毎にプリ索引ファイルを作成する。プリ索引ファイルは、索引ファイル３０の最小単位の部品データである。
【００３２】
所定データ量単位は、単位情報として予め設定記憶部２３に記憶されている。設定記憶部２３は、主に外部記憶部１１ｃを含み構成される。設定記憶部２３は、キーボード１３を用いて入力された所定データ量単位を単位情報として記憶する。
【００３３】
この所定データ量単位は、書き込み先として想定される可搬記憶媒体Ｍのうち、最小の記憶容量に合わせるのが望ましい。例えば６５０ＭＢ用のＣＤ、ＤＶＤ、ＨＤ−ＤＶＤを可搬記憶媒体Ｍとして想定している場合、最小の記憶容量を有するＣＤに合わせた６５０ＭＢを所定データ量単位として設定することが望ましい。
【００３４】
所定データ量単位を最小の記憶容量に合わせることで、その最小の記憶容量を有する種類の記憶媒体Ｍが挿入されたときには、このプリ索引ファイルをそのまま索引ファイル３０とすることができる。また、所定データ量単位を最小の記憶容量に合わせることで、それ以上の記憶容量を有する可搬記憶媒体Ｍに医用画像を書き込むときには、複数のプリ索引ファイルを合成するのみの処理で済む。即ち、最小の記憶容量を有する可搬記憶媒体Ｍに医用画像を書き込む際に、索引ファイル３０を作成する処理負荷がない。また、即ち、最小の記憶容量よりも大きい可搬記憶媒体Ｍに医用画像を書き込む際、予め作成したプリ索引ファイルの内容を書き込む医用画像に合わせて再構築する必要がない。
【００３５】
尚、既に医用画像が一部に書き込まれている再書込可能な可搬記憶媒体Ｍが挿入されることも想定し、所定データ単位を例えば１００ＭＢ等にすることもできる。
【００３６】
プリ作成部２１は、このプリ索引ファイルを所定タイミング毎に更新する。即ち、プリ索引ファイルを、可搬記憶媒体Ｍへの書込要求や可搬記憶媒体Ｍの挿入とは関係なく前もって作成及び更新する。所定タイミングは、定期的又は新たな医用画像が医用画像記憶部２２に記憶されることを契機とする。この所定タイミングを表すタイミング情報は、設定記憶部２３に記憶されている。設定記憶部２３は、キーボード１３を用いて入力されたタイミングをタイミング情報として記憶する。
【００３７】
プリ作成部２１は、医用画像を所定データ量単位を超えない範囲でグループ分けする。グループ分けは、医用画像のグループを管理する管理情報を作成することでなされる。プリ作成部２１は、グループを表すグループ識別情報とそのグループに属する医用画像識別情報とを対にした管理情報を作成する。
【００３８】
プリ作成部２１は、作成したプリ索引ファイルを索引記憶部２４に記憶させる。索引記憶部２４は、主に外部記憶部１１ｃを含み構成されて、プリ索引ファイルを記憶する。
【００３９】
また、プリ作成部２１は、プリ索引ファイルとそのプリ索引ファイルが管理する医用画像のグループとの対応関係を表す対応関係情報を作成し、対応関係記憶部２５に記憶させる。対応関係記憶部２５は、主に外部記憶部１１ｃを含み構成される。対応関係情報は、プリ索引ファイルを表すプリ索引ファイル識別情報と医用画像のグループを表すグループ情報からなる。尚、この対応関係記憶部２５には、対応関係情報とともに管理情報も記憶される。
【００４０】
特定部２６は、主に演算制御装置１１ａとメディアドライブ１２とを含み構成される。この特定部２６は、メディアドライブ１２に挿入された可搬記憶媒体Ｍのメディア種別情報を取得する。メディア種別情報は、可搬記憶媒体Ｍの種類を表す情報であり、６５０ＭＢのＣＤや７００ＭＢのＣＤやＤＶＤやＨＤ−ＤＶＤ等を表す。このメディア種別情報は、可搬記憶媒体Ｍに記録されており、特定部２６は、可搬記憶媒体Ｍに記録されているメディア種別情報を読み出す。
【００４１】
最終作成部２７は、主に演算制御部１１ａを含み構成される。この最終作成部２７は、プリ索引ファイルの一又は複数を割り付けて、可搬記憶媒体Ｍに書き込む索引ファイル３０を作成する。
【００４２】
この最終作成部２７は、挿入された可搬記憶媒体Ｍに複数の医用画像のグループを書き込む場合には、これら医用画像のグループに対応する複数のプリ索引ファイルを合成して索引ファイル３０を作成する。挿入された可搬記憶媒体Ｍに医用画像の１グループのみを書き込む場合には、実質的な索引ファイル３０の作成処理は行わない。即ち、挿入された可搬記憶媒体Ｍが１グループの医用画像のみ記憶可能な場合は、この可搬記憶媒体Ｍに記憶させる１グループに対応するプリ索引ファイルを索引ファイル３０とする。
【００４３】
プリ索引ファイルの合成では、記述されている階層構造を階層毎に一つの階層構造に統合する。同一内容のディレクトリが複数のプリ索引ファイルにある場合は、それらを一つに纏める。纏められたディレクトリ以下に存在するディレクトリは、一つに纏められたディレクトリの下に一つの階層構造に統合される。
【００４４】
最終作成部２７は、メディア種別情報が表す可搬記憶媒体Ｍの記憶容量が所定データ量の何単位に相当するか算出し、いくつのプリ索引ファイルを合成するか決定する。最終作成部２７は、メディア種別情報が表す可搬記憶媒体Ｍの種類別にその可搬記憶媒体Ｍの記憶容量を表す数値を予め有している。この数値は、プログラムの一部として外部記憶部１１ｃに記憶されている。所定データ量は、単位情報が表す値を用いる。例えば、メディア種別情報が４．７ＧＢのＤＶＤであり、単位情報が６５０Ｍであれば、７つのプリ索引ファイルを合成することに決定する。
【００４５】
また、最終作成部２７は、対応関係情報を参照して、合成するプリ索引ファイルが管理する医用画像のグループを検索し、管理情報を参照して、検索された医用画像のグループに属する医用画像を検索する。最終作成部２７は、作成した索引ファイル３０及び検索した医用画像を書込部２８に出力する。
【００４６】
書込部２８は、主に演算制御装置１１ａとメディアドライブ１２とを含み構成される。この書込部２８は、最終作成部２７が作成した索引ファイル３０と、この索引ファイル３０に対応する医用画像とを、メディアドライブ１２に挿入された可搬記憶媒体Ｍに書き込む。
【００４７】
図５は、この医用画像管理システム１のプリ索引ファイルを作成する動作を示すフローチャートである。
【００４８】
まず、プリ作成部２１は、設定記憶部２３からタイミング情報を読み出す（Ｓ０１）。タイミング情報を読み出すと、プリ作成部２１は、タイミング情報が表すタイミングが訪れたか否かを判断する（Ｓ０２）。
【００４９】
タイミング情報は、何時何分何秒や何曜日等の日時や、医用画像記憶を契機とする等を表す。日時であれば、コンピュータである医用画像管理システム１が計時する日時にタイミング情報が表す日時が到達しているか否かを判断する。医用画像記憶を契機とする旨を表していれば、ネットワークで接続されている医用画像診断装置から医用画像が送信されて記憶するイベントの発生を判断する。
【００５０】
タイミング情報が表すタイミングが訪れたと判断すると（Ｓ０２，Ｙｅｓ）、プリ作成部２１は、設定記憶部２３から単位情報を読み出す（Ｓ０３）。単位情報を読み出すと、プリ作成部２１は、医用画像記憶部２２に記憶されている医用画像をサーチして、単位情報が表す所定データ量単位で医用画像をグループ分けし（Ｓ０４）、このグループ分けを表す管理情報を作成して（Ｓ０５）、対応関係記憶部２５に記憶させる（Ｓ０６）。
【００５１】
プリ作成部２１は、所定データ量を超えない範囲で、同一患者を由来とする医用画像を同一グループとする。同一患者を由来とする医用画像の総計が所定データ量を超えるときは、所定データ量を超えない範囲で、検査単位で複数にグループ分けする。同一患者を由来とし、かつ単一種類の検査で撮影された医用画像の総計が所定データ量を超えるときは、素所定データ量を超えない範囲で、シリーズ単位で複数にグループ分けする。
【００５２】
医用画像を所定データ量毎にグループ分けすると、プリ作成部２１は、医用画像のグループ毎にプリ索引ファイルを作成し（Ｓ０７）、各プリ索引ファイルを索引記憶部２４に記憶させる（Ｓ０８）。プリ索引ファイルの作成は、医用画像のグループが有する階層構造をサーチして、その階層構造を反映させたディレクトリレコードの階層を構築することで行われる。
【００５３】
さらにプリ作成部２１は、医用画像の各グループのグループ識別情報とそのグループに対応するプリ索引ファイルのプリ索引ファイル識別情報とを対にして対応関係情報を作成して（Ｓ０９）、対応関係記憶部２５に記憶させる（Ｓ１０）。
【００５４】
プリ索引ファイルを作成し、管理情報と対応関係情報とを記憶させると、プリ索引ファイルの作成処理は終了する。タイミング情報が、毎日何時何分何秒や毎週何曜日等の日時や、医用画像記憶を契機とする等であれば、このタイミングが訪れる毎にプリ索引ファイルを作成して更新する。
【００５５】
図６は、第１の形態に係るタイミング情報と所定データ量単位とを設定するためのプリセット画面を示す模式図である。このプリセット画面は、演算制御装置１１ａで描画データとして生成されて、モニタ１４に表示される。プリセット画面のフォームはプログラムの一部として外部記憶部１１ｃに記憶されている。
【００５６】
プリセット画面には、ユーザが医用画像書き込みに使用する可搬記憶媒体Ｍのうち、最小のものを入力する単位情報選択エリア１４１と、プリ索引ファイルを作成するタイミングを入力するタイミング情報選択エリア１４２とが表示される。
【００５７】
単位情報選択エリア１４１には、ラジオボタンにより、６５０ＭＢのＣＤ、７００ＭＢのＣＤ、２．６ＧＢのＤＶＤ、４．７ＧＢのＤＶＤ、５．２ＧＢのＤＶＤ、９．４ＧＢのＤＶＤ、１５ＧＢのＨＤ−ＤＶＤ、３０ＧＢのＨＤ−ＤＶＤ、４５ＧＢのＨＤ−ＤＶＤ、２５ＧＢのブルーレイディスク、５０ＧＢのブルーレイディスクのいずれかが選択できるようになっている。キーボード１３を用いてラジオボタンに印を付すことにより選択したデータ容量が単位情報として記憶される。
【００５８】
タイミング情報選択エリア１４２には、入力フィールドとラジオボタンにより毎日又は今日の何時何分何秒にプリ索引ファイルを作成するか、又は入力フィールドとラジオボタンにより毎週又は今週の何曜日にプリ索引ファイルを作成するか、或いは医用画像が記憶されたことを契機とするか選択できるようになっている。キーボード１３を用いてラジオボタンに印を付して入力フィールドに数値を入力することにより、選択されたタイミングがタイミング情報として記憶される。
【００５９】
図７は、この医用画像管理システム１のプリ索引ファイル作成動作によって記憶されたデータを模式的に示した図である。ここで、プリセット画面のタイミング情報選択エリア１４２で医用画像が記憶されたことを契機とすることが選択され、単位情報選択エリア１４１で６５０ＭＢのＣＤが選択されたものとする。また、今、新たな医用画像が記憶されることにより、記憶されている医用画像Ｐのデータ量総計が４．７ＧＢになったものとする。
【００６０】
医用画像Ｐのデータ量総計が４．７ＧＢであるので、所定データ量単位を６５０ＭＢとすると、医用画像Ｐは８つにグループ分けすることができる。医用画像管理システム１は、新たな医用画像が記憶されると、データ量総計が４．７ＧＢの医用画像Ｐを、６５０ＭＢずつ、第１ディレクトリＤ１、第２ディレクトリＤ２、第３ディレクトリＤ３、・・・の計８つのディレクトリに分ける。尚、８番目のディレクトリは６５０ＭＢに達していない。
【００６１】
そして、第１ディレクトリＤ１の階層構造を表す第１プリ索引ファイルＤＲ１、第２ディレクトリＤ２の階層構造を表す第２プリ索引ファイルＤＲ２、第３ディレクトリＤ３の階層構造を表す第３プリ索引ファイルＤ３というふうに、それぞれのディレクトリに対応させてプリ索引ファイルを作成する。
【００６２】
図８は、可搬記憶媒体Ｍに書き込む索引ファイル３０をプリ索引ファイルから作成して可搬記憶媒体Ｍに書き込む動作を示すフローチャートである。
【００６３】
まず、可搬記憶媒体Ｍの挿入が検出されると（Ｓ２１）、特定部２６は、可搬記憶媒体Ｍのメディア種別情報を取得する（Ｓ２２）。最終作成部２７は、メディア種別情報が取得されると、メディア種別情報が表す可搬記憶媒体Ｍの種類から可搬記憶媒体Ｍの記録容量を取得する（Ｓ２３）。
【００６４】
可搬記憶媒体Ｍの記録容量が特定されると、最終作成部２７は、設定記憶部２３から単位情報を取得する（Ｓ２４）。そして、最終生成部２７は、可搬記憶媒体Ｍの記録容量を単位情報が表す所定データ量単位で除して、可搬記憶媒体Ｍに記憶することが可能な医用画像のグループ数を算出する（Ｓ２５）。４．７ＧＢのＤＶＤが挿入され、医用画像のグループが６５０ＭＢ単位だとすれば、４．７ＧＢから６５０ＭＢを除してグループ数として７単位が算出される。小数部部分を繰り上げて８単位とすると、４．７ＧＢを超過するおそれがあるため、少数点以下は切り捨てて算出する。
【００６５】
最終生成部２７は、可搬記憶媒体Ｍに記録可能な医用画像のグループ数を算出すると、索引記憶部２４からそのグループ数分のプリ索引ファイルを読み出して索引ファイル３０に割り振る（Ｓ２６）。この索引ファイル３０への割り振りでは、読み出したプリ索引ファイル群を一つのファイルに合成する。尚、単位数が「１」の場合、読み出したプリ索引ファイルそのものが索引ファイル３０となる。
【００６６】
さらに、最終生成部２７は、対応関係記憶部２５から対応関係情報を読み出し（Ｓ２７）、対応関係情報を参照して、割り振ったプリ索引ファイルに対応する医用画像のグループを検索する（Ｓ２８）。医用画像のグループを検索すると、最終生成部２７は、対応関係記憶部２５から管理情報を読み出し（Ｓ２９）、管理情報を参照して、検索された医用画像のグループに対応する医用画像を検索する（Ｓ３０）。検索された医用画像は、プリ索引ファイルに対応する医用画像のグループに属し、プリ索引ファイルに対応する医用画像である。
【００６７】
検索された医用画像は、医用画像記憶部２２から読み出されて、生成された索引ファイル３０とともにメディアドライブ１２に出力される（Ｓ３１）。書込部２８は、この索引ファイル３０と医用画像とを可搬記憶媒体Ｍに書き込み（Ｓ３２）、全ての書き込みが終了すると処理を終了する。この索引ファイル３０の作成中及び書込中は、モニタ１４にその作成状況及び書込状況が表示される。
【００６８】
図９は、６５０ＭＢのＣＤ及び４．７ＧＢのＤＶＤが可搬記憶媒体Ｍとして挿入された場合の第１の形態に係る索引ファイル３０の作成例を示す模式図である。尚、所定データ量単位は６５０ＭＢに設定され、予め６５０ＭＢのデータ量単位で第１プリ索引ファイルＤＲ１乃至ＤＲ８までの計８つのプリ索引ファイルを作成しているものとする。
【００６９】
６５０ＭＢのＣＤが可搬記憶媒体Ｍとして挿入されると、医用画像管理システム１は、メディア種別情報を読み出して６５０ＭＢのＣＤが挿入されたことを特定する。６５０ＭＢのＣＤを特定すると、この６５０ＭＢのＣＤが有する記録容量の値である６５０ＭＢを、単位情報が表す６５０ＭＢで除し、「１」というグループ数を得る。この「１」というグループ数は、医用画像の１グループを可搬記憶媒体Ｍに記憶することを意味する。医用画像管理システム１では、「１」というグループ数に対応して、予め作成しているプリ索引ファイルのうち、第１プリ索引ファイルＤＲ１を読み出す。第１プリ索引ファイルＤＲ１を読み出すと、この第１プリ索引ファイルＤＲ１を索引ファイル３０とする。
【００７０】
４．７ＧＢのＤＶＤが可搬記憶媒体Ｍとして挿入されると、医用画像管理システム１は、メディア種別情報を読み出して４．７ＧＢのＤＶＤが挿入されたことを特定する。４．７ＧＢのＤＶＤを特定すると、この４．７ＧＢのＤＶＤが有する記憶容量の値である４．７ＧＢを、単位情報が示す６５０ＭＢで除し、整数部分のみの「７」というグループ数を得る。この「７」というグループ数は、７つの医用画像のグループを可搬記憶媒体Ｍに記憶することを意味する。
【００７１】
医用画像管理システム１では、「７」というグループ数に対応して、予め作成しているプリ索引ファイルのうち、第１プリ索引ファイルＤＲ１乃至ＤＲ７を読み出す。そして、この読み出した第１プリ索引ファイルＤＲ１乃至ＤＲ７を合成して索引ファイル３０を生成する。
【００７２】
（第２の書込形態）
この医用画像管理システム１の索引ファイル３０の作成及び書き込みの第２の形態を詳細に説明する。
【００７３】
図１０は、第２の形態に係る医用画像管理システム１の機能構成を示すブロック図である。医用画像管理システム１は、医用画像記憶部２２と、設定記憶部２３と、索引記憶部２４と、対応関係記憶部２５と、特定部２６と、各種索引作成部２９と、書込部２８とを備える。
【００７４】
各種索引作成部２９は、主に演算制御装置１１ａを含み構成される。この各種索引作成部２９は、可搬記憶媒体Ｍの各種類に対応した索引ファイル３０を各種作成する。
【００７５】
プリセット画面では、キーボード１３を用いて各種の可搬記憶媒体Ｍが選択可能となっている。選択された各種の可搬記憶媒体Ｍのデータ容量を表した所定データ量単位が単位情報として設定記憶部２３に各種記憶される。
【００７６】
各種索引作成部２９は、設定記憶部２３に記憶されている全ての単位情報に従って各種の所定データ量単位で医用画像をグループ分けする。そして、その全てのグループに索引ファイル３０を作成する。例えば、６５０ＭＢの単位情報と４．７ＧＢの単位情報とが設定記憶部２３に記憶されていれば、医用画像を６５０ＭＢ毎にグループ分けし、またそれとは別に医用画像を４．７ＧＢ毎にグループ分けする。そして、６５０ＭＢ毎のグループのそれぞれに対して索引ファイル３０を作成し、またそれとは別に４．７ＧＢ毎のグループのそれぞれに対して索引ファイル３０を作成する。
【００７７】
また、各種索引作成部２９は、索引ファイル３０を作成すると、その索引ファイル３０を識別する索引ファイル識別情報と、その索引ファイル３０に対応する可搬記憶媒体Ｍの種類を表す種類情報と、その索引ファイル３０が階層構造を表す医用画像のグループを表すグループ情報とを対にした対応関係情報を作成する。また、各グループに属する医用画像を表す管理情報を作成する。
【００７８】
図１１は、このような医用画像管理システム１の第２の形態に係る索引ファイル３０を作成する動作を示すフローチャートである。
【００７９】
まず、各種索引作成部２９は、設定記憶部２３からタイミング情報を読み出す（Ｓ４１）。タイミング情報を読み出すと、各種索引作成部２９は、タイミング情報が表すタイミングが訪れたか否かを判断する（Ｓ４２）。
【００８０】
タイミング情報が表すタイミングが訪れたと判断すると（Ｓ４２，Ｙｅｓ）、各種索引作成部２９は、設定記憶部２３から単位情報を読み出す（Ｓ４３）。単位情報を読み出すと、各種索引作成部２９は、単位情報の一に記述されているデータ量単位で医用画像をグループ分けし（Ｓ４４）、このグループを表す管理情報を作成して（Ｓ４５）、対応関係記憶部２５に記憶させる（Ｓ４６）。
【００８１】
単位情報に記述されている他のデータ量単位での医用画像のグループ分けと（Ｓ４４）、そのグループの管理情報の作成（Ｓ４５）及び記憶（Ｓ４６）を別途繰り返し、単位情報に記述されている全てのデータ量単位についてのグループ分けが終了したかを判断する（Ｓ４７）。
【００８２】
単位情報に記述されている全てのデータ量単位についてのグループが終了したと判断すると（Ｓ４７，Ｙｅｓ）、各種索引作成部２９は、全ての医用画像のグループに対して索引ファイル３０を作成し（Ｓ４８）、各索引ファイル３０を索引記憶部２４に記憶させる（Ｓ４９）。さらに、各種索引作成部２９は、対応関係情報を作成して（Ｓ５０）、対応関係記憶部２５に記憶させる（Ｓ５１）。
【００８３】
図１２は、第２の形態に係るタイミング情報と所定データ量単位とを設定するためのプリセット画面を示す模式図である。プリセット画面には、ユーザが医用画像書き込みに使用する可搬記憶媒体Ｍを入力する単位情報選択エリア１４１と、タイミング情報を入力するタイミング情報選択エリア１４２とが表示される。
【００８４】
単位情報選択エリア１４１には、ラジオボタンにより各種の可搬記憶媒体Ｍが複数選択できるようになっている。キーボード１３を用いてラジオボタンに印を付すことにより選択された全ての可搬記憶媒体Ｍの種類に対応したデータ容量が単位情報として記憶される。
【００８５】
図１３は、この医用画像管理システム１の第２の形態に係る索引ファイル３０の作成を模式的に示した図である。ここで、プリセット画面の単位情報選択エリア１４１で６５０ＭＢのＣＤと４．７ＧＢのＤＶＤが選択されたものとする。即ち、６５０ＭＢ及び４．７ＧＢを表す単位情報が、設定記憶部２３に記憶されたものとする。
【００８６】
各種索引作成部２９は、まず６５０ＭＢの単位情報に対応して、総計４．７ＧＢの医用画像Ｐを、６５０ＭＢずつ、ＣＤ用第１ディレクトリＣＤ１、ＣＤ用第２ディレクトリＣＤ２、ＣＤ用第３ディレクトリＤ３、・・・の計８つのディレクトリに分ける。そして、ＣＤ用第１ディレクトリＣＤ１の階層構造を表すＣＤ用第１索引ファイルＣＤＲ１、ＣＤ用第２ディレクトリＣＤ２の階層構造を表すＣＤ用第２索引ファイルＣＤＲ２、ＣＤ用第３ディレクトリＣＤ３の階層構造を表すＣＤ用第３索引ファイルＣＤ３というふうに、それぞれのディレクトリに対応させて索引ファイルを作成する。
【００８７】
さらに、各種索引作成部２９は、４．７ＧＢの単位情報に対応して、総計４．７ＧＢの医用画像Ｐを、４．７ＧＢずつ、ＤＶＤ用第１ディレクトリＤＤ１の計１つのディレクトリに分ける。そして、ＤＶＤ用第１ディレクトリＤＤ１の階層構造を表すＤＶＤ用第１索引ファイルＤＤＲ１を作成する。
【００８８】
図１４は、第２の形態に係る索引ファイル３０を可搬記憶媒体Ｍに書き込む動作を示すフローチャートである。
【００８９】
まず、可搬記憶媒体Ｍの挿入が検出されると（Ｓ６１）、特定部２６は、可搬記憶媒体Ｍのメディア種別情報を取得する（Ｓ６２）。書込部２８は、メディア種別情報が取得されると、対応関係記憶部２５から対応関係情報を取得する（Ｓ６３）。尚、可搬記憶媒体Ｍの挿入前に医用画像の可搬記憶媒体Ｍへの書込みを要求するキー入力がなされると、可搬記憶媒体Ｍの挿入を促すメッセージをモニタ１４に表示するとともに、プリセット画面で選択した種類の可搬記憶媒体Ｍに医用画像を書き込むことで書込終了までの時間が短縮される旨のメッセージをモニタ１４に表示する。
【００９０】
メディア種別情報と対応関係情報を取得すると、書込部２８は、対応関係情報を参照して、メディア種別情報が示す可搬記憶媒体Ｍの種類に対応付けられた索引ファイル識別情報を取得し、その索引ファイル識別情報が示す索引ファイル３０を索引記憶部２４から読み出す（Ｓ６４）。
【００９１】
さらに、書込部２８は、対応関係記憶部２５から管理情報を取得する（Ｓ６５）。そして、対応関係情報と管理情報を参照して、読み出した索引ファイル３０を示す索引ファイル識別情報と対応関係情報において対になっているグループ分け識別情報に対応付けられた医用画像を識別する情報を取得し、その医用画像識別情報が示す医用画像を医用画像記憶部２２から読み出す（Ｓ６６）。即ち、索引ファイル３０が管理する医用画像を対応関係情報と管理情報を参照して読み出す。
【００９２】
索引ファイル３０と医用画像を読み出すと、書込部２８は、読み出した索引ファイル３０と医用画像を可搬記憶媒体Ｍに書き込む（Ｓ６７）。全ての書き込みが終了すると、各種索引作成部２９は、書込に使用しなかった索引ファイル３０を索引記憶部２４から削除し（Ｓ６８）、処理を終了する。この索引ファイル３０の作成中及び書込中は、モニタ１４にその作成状況及び書込状況が表示される。
【００９３】
図１５は、６５０ＭＢのＣＤ及び４．７ＧＢのＤＶＤが可搬記憶媒体Ｍとして挿入された場合の第２の形態に係る索引ファイル３０の書き込み例を示す模式図である。
【００９４】
尚、医用画像管理システム１では、単位情報には６５０ＭＢが含まれ、予め６５０ＭＢのデータ量単位でＣＤ用第１索引ファイルＣＤＲ１乃至ＣＤＲ８までの計８つの索引ファイル３０を作成しているものとする。さらに、単位情報には４．７ＧＢが含まれ、予め４．７ＧＢのデータ量単位でＤＶＤ用第１索引ファイルＤＤＲ１までの計１つのプリ索引ファイル３０を別途作成しているものとする。
【００９５】
６５０ＭＢのＣＤが可搬記憶媒体Ｍとして挿入されると、医用画像管理システム１では、６５０ＭＢのＣＤ用に作成された索引ファイル３０のうち、対応関係情報に最初に記述されているＣＤ用第１索引ファイルＣＤＲ１を索引記憶部２４から読み出す。そして、対応関係情報と管理情報とを参照して、このＣＤ用第１索引ファイルＣＤＲ１に対応する医用画像のグループに属する医用画像を医用画像記憶部２２から読み出す。
【００９６】
医用画像を読み出すと、メディアドライブ１２にて可搬記憶媒体Ｍに読み出した医用画像を書き込み、さらに読み出したＣＤ用第１索引ファイルＣＤＲ１を索引ファイル３０として書き込む。
【００９７】
４．７ＧＢのＤＶＤが可搬記憶媒体Ｍとして挿入されると、医用画像管理システム１では、４．７ＧＢのＤＶＤ用に作成された索引ファイル３０のうち、対応関係情報に最初に記述されているＤＶＤ用第１索引ファイルＤＤＲ１を索引記憶部２４から読み出す。そして、対応関係情報と管理情報とを参照して、このＤＶＤ用第１索引ファイルＤＤＲ１に対応する医用画像のグループに属する医用画像を医用画像記憶部２２から読み出す。
【００９８】
医用画像を読み出すと、メディアドライブ１２にて可搬記憶媒体Ｍに読み出した医用画像を書き込み、さらに読み出したＤＶＤ用第１索引ファイルＤＤＲ１を索引ファイル３０として書き込む。
【００９９】
このように、この医用画像管理システム１では、前もって医用画像を所定データ量単位毎のプリ索引ファイルを作成しておき、可搬記憶媒体Ｍが挿入されると、挿入された可搬記憶媒体Ｍの種類に合わせて一又は複数のプリ索引ファイルを割り付けて索引ファイルを作成するようにした。
【０１００】
これにより、この医用画像管理システム１では、可搬記憶媒体Ｍが挿入された後の索引ファイル作成処理負荷としては、最大でもプリ索引ファイルを合成するための処理負荷のみとなる。合成処理は、索引ファイルを一から作成処理や、索引ファイルの階層構造の一部を検索及び削除する処理と比べて、その処理負荷が格段に低く、可搬記憶媒体Ｍへの医用画像書込時におけるオペレータのストレスは格段に低減される。
【０１０１】
また、この医用画像管理システム１では、前もって各種可搬記憶媒体Ｍに対応した索引ファイルを各種作成しておき、可搬記憶媒体Ｍが挿入されると、挿入された可搬記憶媒体Ｍの種類にあった索引ファイルを書き込むデータとして採用するようにした。
【０１０２】
これにより、この医用画像管理システム１では、可搬記憶媒体Ｍが挿入された後の索引ファイル作成処理の負荷がかからない。従って、可搬記憶媒体Ｍへの医用画像書込時におけるオペレータのストレスは格段に低減される。
【０１０３】
尚、本実施形態では、特定部２６は、可搬記憶媒体Ｍの種類を特定し、特定された可搬記憶媒体Ｍの種類から記憶可能なデータ量を取得するようにしたが、直接的に可搬記憶媒体Ｍの空き容量を取得するようにしてもよい。この場合、可搬記憶媒体Ｍの一部に既にデータが書き込まれていることを想定しても容易にプリ索引ファイルを前もって作成することができる。尚、単位情報選択エリア１４１には、入力フィールドを表示し、具体的な所定データ量単位を入力させるようにしてもよい。
【図面の簡単な説明】
【０１０４】
【図１】医用画像管理システムを表す外観図である。
【図２】ワークステーション装置の詳細構成を示す構成図である。
【図３】可搬記憶媒体に記憶される医用画像の記憶構造を示す模式図である。
【図４】第１の形態に係る医用画像管理システムの機能構成を示すブロック図である。
【図５】プリ索引ファイルを作成する動作を示すフローチャートである。
【図６】第１の形態に係るタイミング情報と所定データ量単位とを設定するためのプリセット画面を示す模式図である。
【図７】プリ索引ファイル作成動作によって記憶されたデータを模式的に示した図である。
【図８】可搬記憶媒体に書き込む索引ファイルをプリ索引ファイルから作成して可搬記憶媒体に書き込む動作を示すフローチャートである。
【図９】６５０ＭＢのＣＤ及び４．７ＧＢのＤＶＤが可搬記憶媒体として挿入された場合の第１の形態に係る索引ファイルの作成例を示す模式図である。
【図１０】第２の形態に係る医用画像管理システムの機能構成を示すブロック図である。
【図１１】第２の形態に係る索引ファイルを作成する動作を示すフローチャートである。
【図１２】第２の形態に係るタイミング情報と所定データ量単位とを設定するためのプリセット画面を示す模式図である。
【図１３】第２の形態に係る索引ファイルの作成を模式的に示した図である。
【図１４】第２の形態に係る索引ファイルを可搬記憶媒体Ｍに書き込む動作を示すフローチャートである。
【図１５】６５０ＭＢのＣＤ及び４．７ＧＢのＤＶＤが可搬記憶媒体として挿入された場合の第２の形態に係る索引ファイルの書き込み例を示す模式図である。
【符号の説明】
【０１０５】
１    医用画像管理システム
１１  ワークステーション装置
１１ａ  演算制御装置
１１ｂ  主記憶装置
１１ｃ  外部記憶装置
１１ｄ  入出力インターフェース
１２  メディアドライブ
１３  キーボード
１４  モニタ
２１  プリ作成部
２２  医用画像記憶部
２３  設定記憶部
２４  索引記憶部
２５  対応関係記憶部
２６  特定部
２７  最終作成部
２８  書込部
２９  各種索引作成部
Ｍ    可搬記憶媒体
【図１】
2008217558.tif 000003
【図２】
2008217558.tif 000004
【図３】
2008217558.tif 000005
【図４】
2008217558.tif 000006
【図５】
2008217558.tif 000007
【図６】
2008217558.tif 000008
【図７】
2008217558.tif 000009
【図８】
2008217558.tif 000010
【図９】
2008217558.tif 000011
【図１０】
2008217558.tif 000012
【図１１】
2008217558.tif 000013
【図１２】
2008217558.tif 000014
【図１３】
2008217558.tif 000015
【図１４】
2008217558.tif 000016
【図１５】
2008217558.tif 000017